(57)【要約】【課題】商品の購入と同時に保険の申請をすることを可能にする保険付き健康関連商品販売システムを提供する。【解決手段】本発明による保険付き健康関連商品販売システムは、購入者情報を受け付ける購入者情報受付手段と、被保険者情報を受け付ける被保険者情報受付手段と、購入する商品の商品情報を受け付ける購入商品情報受付手段と、購入者情報、被保険者情報、商品の購入日時及び商品の識別子を記憶する購入履歴記憶手段と、商品の識別子に商品情報を関連付けて記憶する商品情報記憶手段と、保険情報を記憶する保険情報記憶手段と、購入履歴記憶手段、商品情報記憶手段及び保険情報記録手段に格納された情報に基づいて、保険受付番号を含む保険契約情報をユーザ端末に送信する保険取引処理サーバとを備える。【選択図】図１
2020077195.tif 000002
【特許請求の範囲】
【請求項１】
保険付き健康関連商品販売システムであって、
商品の購入者を特定するための購入者情報を受け付ける購入者情報受付手段と、
前記商品に関連付けられた保険の被保険者を特定するための被保険者情報を受け付ける被保険者情報受付手段と、
購入する商品情報を受け付ける購入商品情報受付手段と、
前記購入者情報、前記被保険者情報、前記商品の購入日時及び前記商品の識別子のうちの少なくとも１つ以上を記憶する購入履歴記憶手段と、
前記商品の識別子に商品情報を関連付けて記憶する商品情報記憶手段と、
保険情報を記憶する保険情報記憶手段と、
前記購入履歴記憶手段、前記商品情報記憶手段及び前記保険情報記録手段に格納された少なくとも１つ以上の情報に基づいて、前記商品に対応する保険を特定し、前記商品の購入取引に対して保険受付番号を付与し、少なくとも前記保険受付番号を含む保険契約情報をユーザ端末に送信する保険取引処理サーバと、
を備える、保険付き健康関連商品販売システム。
【請求項２】
前記保険取引処理サーバは、前記購入履歴記憶手段に記憶された少なくとも１つ以上の情報に基づいて、保険受付番号を付与する保険受付番号付与部を備える、請求項１に記載の保険付き健康関連商品販売システム。
【請求項３】
前記保険取引処理サーバは、前記購入履歴記憶手段に記憶された少なくとも１つ以上の情報に基づいて、前記商品に関連付けられた保険の補償期間を決定する補償期間決定部を備える、請求項１又は２に記載の保険付き健康関連商品販売システム。
【請求項４】
前記保険取引処理サーバは、前記購入履歴記憶手段に記憶された少なくとも１つ以上の情報に基づいて、前記商品に関連付けられた保険の種類を決定する保険種類決定部を備える、請求項１〜３のいずれか一項に記載の保険付き健康関連商品販売システム。
【請求項５】
前記保険取引処理サーバは、少なくとも前記保険受付番号を含む保険契約情報をユーザ端末に送信する保険契約情報送信部を備える、請求項１〜４のいずれか一項に記載の保険付き健康関連商品販売システム。
【発明の詳細な説明】
【技術分野】
【０００１】
本発明は、保険付き健康関連商品販売システムに関し、特に、保険付きのサプリメント、健康食品又は健康器具等の健康関連商品の販売システムに関する。
【背景技術】
【０００２】
サプリメントや健康食品、健康器具等の健康関連商品は、一般に、健康の維持や増進、病気や怪我の予防、体力の維持や増進等のために用いられる。これらの健康関連商品の購入者は、これらの健康関連商品を摂取又は利用することにより、その健康関連商品の効能や機能に応じた健康面での効果を得ることで、健康面での様々なリスクを低減することに関心を持っていると考えられる。
【０００３】
例えば、骨の健全な発育や骨粗しょう症の予防等の効果が期待できるカルシウムを補うサプリメントの購入者は、カルシウム不足等に起因する病気や怪我の予防や、転倒などの事故の際に骨の損傷や骨折等のリスクを低減することにも関心があると考えられる。
【０００４】
一方、健康面でのリスクに備えるものとして、生命保険や傷害保険等の各種の保険が存在する。健康面でのリスクに備えるという意味合いにおいては、健康関連商品を購入することも各種の保険に加入することも同じ目的を持った消費行動であるといえる。そのため、健康関連商品の購入と各種の保険への加入を簡易かつ同時に行うことができれば、購入者の利便性が向上する。
【０００５】
しかしながら、健康関連商品の販売とその健康関連商品に適した保険への加入の申請受付を簡易かつ同時に行うための販売システムが整備されていないという問題があった。
【先行技術文献】
【特許文献】
【０００６】
【特許文献１】特開２００１−２９１０３１号公報
【特許文献２】特開２００２−１４９９８６号公報
【特許文献３】特開２００３−１８７０２３号公報
【発明の概要】
【発明が解決しようとする課題】
【０００７】
保険付きの商品を取引するシステムとして、特許文献１には、インターネット（登録商標）上で取引される商品の保証、即ち、商品の品質保証や、欠陥があった場合の交換、商品が期待に反する場合の返品可能性等の保証を保険会社及び認証機関を介して行うシステムが提案されている。
【０００８】
また、特許文献２には、電子商取引の際にトラブルが生じた場合でもユーザに損害を与える心配がないよう電子商取引に保険を掛けることができ、ユーザが商品に掛けられた保険の情報を確認することが可能なショッピングモールシステム、ショッピングモールサーバー、保険サーバ及び保険付き取引方法が提案されている。
【０００９】
特許文献３には、チケットをそのチケットに関連する保険を添付して販売する保険付きチケット販売システム、及び、保険を添付して販売されたチケットの確認を行う保険付きチケット確認システムにおいて、複数の保険会社に、各々が保険を受け入れ可能な口数に応じてチケットを振り分けることが提案されている。
【００１０】
しかしながら、特許文献１〜３はいずれも、取引される商品自体の品質の保証や、破損や不達等の取引の最中に起こるトラブルを保証の対象とする保険に関するものであり、商品自体や取引自体の保証ではなく、その商品の効能や機能がもたらすリスクの低減効果と同様のリスクの低減効果を有する保険を商品に付帯するものではなかった。
【００１１】
そこで、本発明は、上記課題を解決し、その商品の効能や機能がもたらすリスクの低減効果と同様のリスクの低減効果を有する保険を商品に付帯し、商品の購入と同時に保険の申請をすることを可能にする保険付き健康関連商品販売システムを提供する。
【課題を解決するための手段】
【００１２】
上記課題を解決するため、本発明では、保険付き健康関連商品販売システムであって、商品の購入者を特定するための購入者情報を受け付ける購入者情報受付手段と、前記商品に関連付けられた保険の被保険者を特定するための被保険者情報を受け付ける被保険者情報受付手段と、購入する商品の商品情報を受け付ける購入商品情報受付手段と、前記購入者情報、前記被保険者情報、前記商品の購入日時及び前記商品の識別子のうちの少なくとも１つ以上を記憶する購入履歴記憶手段と、前記商品の識別子に商品情報を関連付けて記憶する商品情報記憶手段と、保険情報を記憶する保険情報記憶手段と、前記購入履歴記憶手段、前記商品情報記憶手段及び前記保険情報記録手段に格納された少なくとも１つ以上の情報に基づいて、前記商品に対応する保険を特定し、前記商品の購入取引に対して保険受付番号を付与し、少なくとも前記保険受付番号を含む保険契約情報をユーザ端末に送信する保険取引処理サーバとを備える、保険付き健康関連商品販売システムを提供する。
【００１３】
本発明による保険付き健康関連商品販売システムにおいて、前記保険取引処理サーバは、前記購入履歴記憶手段に記憶された少なくとも１つ以上の情報に基づいて、保険受付番号を付与する保険受付番号付与部を備えることを特徴とする。
【００１４】
本発明による保険付き健康関連商品販売システムにおいて、前記保険取引処理サーバは、前記購入履歴記憶手段に記憶された少なくとも１つ以上の情報に基づいて、前記商品に関連付けられた保険の補償期間を決定する補償期間決定部を備えることを特徴とする。
【００１５】
本発明による保険付き健康関連商品販売システムにおいて、前記保険取引処理サーバは、前記購入履歴記憶手段に記憶された少なくとも１つ以上の情報に基づいて、前記商品に関連付けられた保険の種類を決定する保険種類決定部を備えることを特徴とする。
【００１６】
本発明による保険付き健康関連商品販売システムにおいて、前記保険取引処理サーバは、少なくとも前記保険受付番号を含む保険契約情報をユーザ端末に送信する保険契約情報送信部を備えることを特徴とする。
【発明の効果】
【００１７】
本発明によれば、その商品の効能や機能がもたらすリスクの低減効果と同様のリスクの低減効果を有する保険を商品に付帯し、商品の購入と同時に保険の申請をすることを可能にする。
本発明による保険付き健康関連商品販売システムによれば、健康関連商品の購入と保険の契約とを同時に行うことが可能となり、購入者の利便性を向上することができる。
【図面の簡単な説明】
【００１８】
【図１】図１は、本発明の実施形態に係る保険付き健康関連商品販売システムの全体を示す図である。
【図２】図２は、本発明の実施形態に係る保険取引処理サーバの構成例を示す図である。
【図３】図３は、本発明の実施形態に係る保険付き健康関連商品販売システムにより配信される入力画面の一例を示す図である。
【図４】図４は、本発明の実施例２の実施形態に係る保険付き健康関連商品販売システムにより配信される保険申請画面の一例を示す図である。
【発明を実施するための形態】
【実施例１】
【００１９】
図１は、本発明の実施形態に係る保険付き健康関連商品販売システム１の全体を示す図である。
保険付き健康関連商品販売システム１は、購入者情報受付手段１１と、被保険者情報受付手段１２と、購入商品情報受付手段１３と、購入履歴記憶手段２０と、商品情報記憶手段２１と、保険情報記憶手段２２と、保険取引処理サーバ３０とを備える。保険付き健康関連商品販売システム１は、購入者情報受付手段１１、被保険者情報受付手段１２、及び購入商品情報受付手段１３によりユーザ端末から購入取引に関する情報を受け付け、保険取引処理サーバ３０により、購入履歴記憶手段２０、商品情報記憶手段２１、及び保険情報記憶手段２２に格納された情報に基づいて、商品に対応する保険を特定し、商品の購入取引に対して保険受付番号を付与し、少なくとも保険受付番号を含む保険契約情報をユーザ端末に送信する。
【００２０】
ユーザ端末と保険付き健康関連商品販売システム１との間は、例えばインターネット（登録商標）等の公衆通信ネットワークやイントラネット、ＬＡＮ、ＷＡＮ等の任意の有線又は無線のネットワークで接続される。
【００２１】
保険付き健康関連商品販売システム１は、ユーザ端末から購入取引に関する情報を受け付ける手段として、購入者情報受付手段１１と、被保険者情報受付手段１２と、購入商品情報受付手段１３とを備える。
【００２２】
購入者情報受付手段１１は、商品の購入者を特定するための購入者情報を受け付ける。商品の購入者を特定するための購入者情報は、例えば、購入者の氏名、購入者の住所、購入者の電話番号、購入者のメールアドレス等の購入者の連絡先、購入者の性別、購入者の生年月日、購入者に対するアンケートへの回答等の購入者の属性、購入履歴の確認等に使用するためのパスワード、支払い方法、配送方法、クーポン利用の有無等のその他取引に必要な情報のうち少なくとも１つ以上が含まれる。また、予めユーザ登録がされている場合等には、上記の購入者情報に代えて、又は、上記の購入者情報に加えて、登録されたユーザＩＤ等を使用してもよい。
【００２３】
被保険者情報受付手段１２は、商品に関連付けられた保険の被保険者を特定するための被保険者情報を受け付ける。被保険者とは、保険の対象となる人物のことをいい、商品の購入者と同一であってもよいし、商品の購入者と異なる人物であってもよい。例えば、被保険者が子供であり、商品の購入者がその子供の保護者であるような場合等が想定される。
【００２４】
商品に関連付けられた保険の被保険者を特定するための被保険者情報は、例えば、被保険者の氏名、被保険者の住所、被保険者の電話番号、被保険者のメールアドレス等の被保険者の連絡先、被保険者の性別、被保険者の生年月日、被保険者に対するアンケートへの回答等の被保険者の属性、購入履歴や保険加入状況の確認等に使用するためのパスワード等のその他取引に必要な情報のうち少なくとも１つ以上が含まれる。また、予めユーザ登録がされている場合等には、上記の被保険者情報に代えて、又は上記の被保険者情報に加えて、登録されたユーザＩＤ等を使用してもよい。
【００２５】
購入商品情報受付手段１３は、購入する商品の商品情報を受け付ける。購入する商品の商品情報は、例えば、商品の識別子、商品名、商品の選択、商品の数量、商品の色、商品のサイズ、商品のタイプその他の商品の仕様等のうち少なくとも１つ以上が含まれる。商品の識別子は、商品ＩＤ、商品番号、カタログ番号、型番等の任意の形式の識別子であってもよい。また、商品の識別子は、商品のパッケージ、商品のカタログ、Ｗｅｂ上の商品の紹介ページや購入ページ等に表示されたものであってもよい。
【００２６】
保険付き健康関連商品販売システム１は、記憶手段として、購入履歴記憶手段２０と、商品情報記憶手段２１と、保険情報記憶手段２２とを備える。購入履歴記憶手段２０、商品情報記憶手段２１、保険情報記憶手段２２は、メモリ、データベース、データベース・サーバ等のいずれの形式による記憶手段であってもよい。また、外部のデータベースやデータベース・サーバに格納されている情報を取り出して一時的に保管しておくためのメモリ、データベース、データベース・サーバ等の記憶手段であってもよい。
【００２７】
購入履歴記憶手段２０は、購入者情報、被保険者情報、商品の購入日時及び商品の識別子のうちの少なくとも１つ以上を記憶する。購入履歴記憶手段２０は、購入者情報、被保険者情報、商品の購入日時及び商品の識別子のうちの少なくとも１つ以上の情報をテーブル形式で記憶するようにしてもよい。
【００２８】
商品情報記憶手段２１は、商品の識別子に商品情報を関連付けて記憶する。商品情報記憶手段２１は、商品の識別子に商品情報を関連付けてテーブル形式で記憶するようにしてもよい。
【００２９】
保険情報記憶手段２２は、保険情報を記憶する。保険情報記憶手段２２は、保険情報をテーブル形式で記憶するようにしてもよい。保険情報は、例えば、保険の識別子、保険の名称、補償期間、補償内容、補償適用条件、その他の任意の保険に関する仕様等のうち少なくとも１つ以上が含まれる。
【００３０】
保険取引処理サーバ３０は、購入履歴記憶手段２０、商品情報記憶手段２１及び保険情報記録手段２２に格納された少なくとも１つ以上の情報に基づいて、商品に対応する保険を特定し、商品の購入取引に対して保険受付番号を付与し、少なくとも保険受付番号を含む保険契約情報をユーザ端末に送信する。
【００３１】
保険付き健康関連商品販売システム１の上記のような構成により、ユーザはネットワークを介して保険付き健康関連商品販売システム１から配信された購入ページ等から商品をオンラインで購入する際に、商品の購入とともに、その商品に関連する保険への加入を一度の取引で済ませることができる。即ち、保険付き健康関連商品販売システム１がユーザ端末から購入者情報、被保険者情報及び購入商品情報を受け付けてから、保険付き健康関連商品販売システム１がユーザ端末に少なくとも保険受付番号を含む保険契約情報を送信するまでの一連の処理によって、商品の購入とともに、その商品に関連する保険への加入が完了する。
【００３２】
図２は、本発明の実施形態に係る保険取引処理サーバ３０の構成例を示す図である。
保険取引処理サーバ３０は、好ましくは少なくとも保険受付番号付与部３２と、保険契約情報送信部３５とを備える。また、保険取引処理サーバ３０は、補償期間決定部３３及び保険種類決定部３４を更に備えるようにしてもよい。
【００３３】
保険受付番号付与部３２は、購入履歴記憶手段２０に記憶された少なくとも１つ以上の情報に基づいて、保険受付番号を付与する。購入履歴記憶手段２０には、購入者情報、被保険者情報、商品の購入日時及び商品の識別子のうちの少なくとも１つ以上が記憶されている。保険受付番号付与部３２は、購入履歴記憶手段２０に記憶された情報を参照し、保険契約成立の条件を満たしているかを確認し、保険契約成立の条件を満たしている場合に、保険受付番号を付与する。
【００３４】
保険契約成立の条件は、例えば、満２０歳未満である場合のみ被保険者になれる等の条件や、被保険者が満２０歳未満である場合には、購入者が満２０歳以上であることが必要である等の条件であってもよい。保険受付番号付与部３０は、このような保険契約成立の条件を満たしているか否かを、購入履歴記憶手段２０に記憶された少なくとも１つ以上の情報に基づいて判断し、保険契約成立の条件を満たしている場合に、保険受付番号を付与する。購入履歴記憶手段２０に記憶された少なくとも１つ以上の情報とは、例えば、入力された被保険者又は購入者の年齢や、入力された被保険者又は購入者の生年月日から判断した年齢等であってもよい。
【００３５】
また、保険契約成立の条件として、購入者や被保険者について特別の条件を課さず、その商品の購入者であれば誰でも商品の購入とともに保険の契約を行うことができ、購入者が指定した被保険者であれば誰でも被保険者となれるようにしてもよい。
【００３６】
補償期間決定部３３は、購入履歴記憶手段２０に記憶された少なくとも１つ以上の情報に基づいて、商品に関連付けられた保険の補償期間を決定する。購入履歴記憶手段２０には、購入者情報、被保険者情報、商品の購入日時及び商品の識別子のうちの少なくとも１つ以上が記憶されている。補償期間決定部３３は、購入履歴記憶手段２０に記憶された情報を参照し、保険の補償期間の条件を確認し、保険の補償期間を算出し、商品に関連付けられた保険の補償期間を決定する。
【００３７】
保険の補償期間とは、被保険者が補償を受けられる期間のことをいう。保険の補償期間は例えば、１年や３年等の年単位でもよく、３ヶ月や６ヶ月等の月単位や２週間等の週単位、１日等の日単位でもよい。また、購入履歴に応じて補償期間の長さが変動するようにしてもよい。例えば、商品の購入頻度が高い場合や、過去に一定数以上の商品の購入があった場合に、補償期間の長さをより長くするようにしてもよい。商品の購入頻度や商品の購入回数は、購入履歴記憶手段２０に記憶された情報から判断される。また、購入履歴記憶手段２０に記憶された被保険者の年齢に応じて補償期間の長さが変動するようにしてもよい。
【００３８】
また、商品の購入日時によって補償期間の長さが変動するようにしてもよい。例えば、購入履歴記憶手段２０に記憶された商品の購入日時が、予め設定されたキャンペーン期間中である場合に、補償期間の長さをより長くするようにしてもよい。
【００３９】
また、保険の補償期間を決定することは必須ではなく、例えば一生涯にわたって補償する等、特定の補償期間を設けないようにしてもよい。
【００４０】
保険種類決定部３４は、購入履歴記憶手段２０に記憶された少なくとも１つ以上の情報に基づいて、商品に関連付けられた保険の種類を決定する。購入履歴記憶手段２０には、購入者情報、被保険者情報、商品の購入日時及び商品の識別子のうちの少なくとも１つ以上が記憶されている。保険種類決定部３４は、購入履歴記憶手段２０に記憶された情報を参照し、保険の種類に関する条件を確認し、保険の種類を決定する。
【００４１】
保険の種類とは、予め設定された条件の異なる複数の保険のことを指す。例えば、生命保険や傷害保険等の大分類、又は同じ傷害保険という大分類の中でも条件の異なる傷害保険Ａ、傷害保険Ｂ、傷害保険Ｃ等であってもよい。保険の種類は、保険の名称、保険商品の型番、保険商品に付与されたＩＤ等によって区別するようにしてもよい。
【００４２】
保険契約情報送信部３５は、少なくとも保険受付番号を含む保険契約情報をユーザ端末に送信する。保険契約情報は、保険受付番号の他、例えば保険申請者（即ち商品の購入者）の氏名、住所、電話番号、メールアドレス等の保険申請者の連絡先、保険申請者の性別、生年月日等の保険申請者の属性、被保険者の氏名、住所、電話番号、メールアドレス等の連絡先、被保険者の性別、被保険者の生年月日等の被保険者の属性、保険の補償期間、保険の種類等の保険の内容や条件に関する情報等が含まれるようにしてもよい。
【００４３】
保険契約情報送信部３５は、少なくとも保険受付番号を含む保険契約情報が電子メールの本文に記載されたもの又は少なくとも保険受付番号を含む保険契約情報が電子メールの添付ファイルとして電子メールに添付されたものをユーザ端末に送信するようにしてもよい。少なくとも保険受付番号を含む保険契約情報は、商品の購入完了を知らせる電子メールに記載又は添付されてもよい。
【００４４】
また、ＳＮＳ等の外部のメッセージ送信サービスと連携し、保険契約情報送信部３５が、ＳＮＳ等の外部のメッセージ送信サービスを介して、少なくとも保険受付番号を含む保険契約情報をメッセージとして、又はメッセージに添付して送信するようにしてもよい。また、少なくとも保険受付番号を含む保険契約情報は、商品の購入完了を知らせるメッセージの本文に記載され又は商品の購入完了を知らせるメッセージに添付され、ＳＮＳ等の外部のメッセージ送信サービスを介して送信されてもよい。
【００４５】
図３は、本発明の実施形態に係る保険付き健康関連商品販売システム１により配信される入力画面４０の一例を示す図である。
入力画面４０は、健康関連商品販売システム１からユーザ端末にネットワークを介して配信される。入力画面４０は、少なくとも購入商品情報入力欄４１、購入者情報入力欄４２及び被保険者情報入力欄４３を有する。
【００４６】
購入商品情報入力欄４１は、例えば商品の識別子、商品名、商品の選択、商品の数量、商品の色、商品のサイズ、商品のタイプその他の商品の仕様等のうち少なくとも１つ以上の購入商品情報を入力するために用いられる。
【００４７】
図３の例では、商品名と商品の数量をプルダウン・メニューにより選択することが可能となっているが、これに限られず、上記のような任意の商品情報を選択又は入力できるようにしてもよい。また、プルダウン・メニューではなくラジオボタンやテキスト入力ボックス等、他の方法により選択又は入力ができるようにしてもよい。
【００４８】
また、図３は例示であり、表示されるテキスト入力ボックスの数や形状は、入力される情報に合わせて変更され得る。
【００４９】
購入商品情報入力欄４１から入力された購入商品情報は、保険付き健康関連商品販売システム１の購入商品情報受付手段１３により受け付けられ、購入履歴記憶手段２０に記憶される。
【００５０】
購入者情報入力欄４２は、例えば、購入者の氏名、購入者の住所、購入者の電話番号、購入者のメールアドレス等の購入者の連絡先、購入者の性別、購入者の生年月日、購入者に対するアンケートへの回答等の購入者の属性、購入履歴の確認等に使用するためのパスワード、支払い方法、配送方法、クーポン利用の有無等のその他取引に必要な情報のうち少なくとも１つ以上を入力するために用いられる。
【００５１】
図３の例では、購入者の氏名をテキスト入力ボックスにより入力することが可能となっているが、これに限られず、上記のような任意の購入者情報を入力又はできるようにしてもよい。また、テキスト入力ボックスではなくプルダウン・メニューやラジオボタン等、他の方法により入力又は選択ができるようにしてもよい。
【００５２】
購入者情報入力欄４２から入力された購入者情報は、保険付き健康関連商品販売システム１の購入者情報受付手段１１により受け付けられ、購入履歴記憶手段２０に記憶される。
【００５３】
被保険者情報入力欄４３は、例えば、被保険者の氏名、被保険者の住所、被保険者の電話番号、被保険者のメールアドレス等の被保険者の連絡先、被保険者の性別、被保険者の生年月日、被保険者に対するアンケートへの回答等の被保険者の属性、購入履歴や保険加入状況の確認等に使用するためのパスワード等のその他取引に必要な情報のうち少なくとも１つ以上を入力するために用いられる。
【００５４】
図３の例では、被保険者の氏名をテキスト入力ボックスにより入力することが可能となっているが、これに限られず、上記のような任意の被保険者情報を入力又はできるようにしてもよい。また、テキスト入力ボックスではなくプルダウン・メニューやラジオボタン等、他の方法により入力又は選択ができるようにしてもよい。
【００５５】
被保険者情報入力欄４３から入力された被保険者情報は、保険付き健康関連商品販売システム１の被保険者情報受付手段１２により受け付けられ、購入履歴記憶手段２０に記憶される。
【実施例２】
【００５６】
上記の実施例１においては、商品がＷｅｂ上の購入画面を介してオンラインで注文される例を想定して説明したが、実施例２は、商品が実店舗で購入され、Ｗｅｂ上の保険申請画面を介して保険の申請が行われる例である。以下に特に記載しない限り、保険付き健康関連商品販売システム１の構成及び動作は、実施例１と同様である。
【００５７】
実施例１では、購入商品情報受付手段１３が、図３に例示するような購入商品情報入力欄４１から入力された購入商品情報を受け付けた。これに対し、実施例２においては、商品に付されたＱＲコード（登録商標）やバーコード、その他の任意の読み取り可能なコードに予め購入商品情報及びその購入商品に対応する保険情報が付与又は紐付けされている。その商品に付されたＱＲコード（登録商標）やバーコード、その他の任意の読み取り可能なコードがユーザ端末に読み取られることにより、ユーザ端末に保険申請画面を表示する。保険申請画面は、ユーザ端末に保険申請画面へのリンクを表示し、そのリンクへのアクセスがあった場合に表示されるようにしてもよい。
【００５８】
図４は、本発明の実施例２の実施形態に係る保険付き健康関連商品販売システム１により配信される保険申請画面の一例を示す図である。実施例１の図３と異なり、図４の保険申請画面４５においては、図３の購入商品情報入力欄４１、購入者情報入力欄４２及び被保険者情報入力欄４３のうち、購入商品情報入力欄４１を有さず、購入者情報入力欄４２及び被保険者情報入力欄４３のみを有する。図４の保険申請画面４５においては、好ましくは商品名や商品の数量等の購入商品の情報が予め表示されている。
【００５９】
図４の保険申請画面４５において、購入者情報入力欄４２から入力された購入者情報は、保険付き健康関連商品販売システム１の購入者情報受付手段１１により受け付けられ、購入履歴記憶手段２０に記憶される。好ましくは、購入者情報入力欄４２から入力された購入者情報は、商品に付されたＱＲコード（登録商標）やバーコード、その他の任意の読み取り可能なコードに付与又は紐付けされている購入商品情報及びその購入商品に対応する保険情報と対応付けられて、購入履歴記憶手段２０に記憶される。
【００６０】
図４の保険申請画面４５において、被保険者情報入力欄４３から入力された被保険者情報は、保険付き健康関連商品販売システム１の被保険者情報受付手段１２により受け付けられ、購入履歴記憶手段２０に記憶される。好ましくは、被保険者情報入力欄４３から入力された被保険者情報は、商品に付されたＱＲコード（登録商標）やバーコード、その他の任意の読み取り可能なコードに付与又は紐付けされている購入商品情報及びその購入商品に対応する保険情報と対応付けられて、購入履歴記憶手段２０に記憶される。
【００６１】
以上の通り、本発明によれば、上記実施例で説明した通り構成することにより、その商品の効能や機能がもたらすリスクの低減効果と同様のリスクの低減効果を有する保険を商品に付帯し、商品の購入と同時に保険の申請をすることを可能にする保険付き健康関連商品販売システムを提供することができる。
上記記載は実施例についてなされたが、本発明はそれに限らず、本発明の原理と添付の請求の範囲の範囲内で種々の変更および修正をすることができることは当業者に明らかである。
【符号の説明】
【００６２】
１  保険付き健康関連商品販売システム
１１  購入者情報受付手段
１２  被保険者情報受付手段
１３  購入商品情報受付手段
２０  購入履歴記憶手段
２１  商品情報記憶手段
２２  保険情報記憶手段
３０  保険取引処理サーバ
３２  保険受付番号付与部
３４  保険種類決定部
３５  保険契約情報送信部
【図１】
2020077195.tif 000003
【図２】
2020077195.tif 000004
【図３】
2020077195.tif 000005
【図４】
2020077195.tif 000006